(57)【要約】【課題】ランプを使用する際の注意事項を使用者に確実に伝えることができるラベルを提供する。【解決手段】中心に貫通孔が設けられた主面と、主面の対向する２つの頂点に隣接する二辺から形成された主面よりも小さく形成された折り曲げ面と、を有するラベルの一面に使用上の注意事項を記載し、貫通孔をランプの口金に通してランプに設置する。主面の折り曲げ面が形成されていない部分を個装箱により押さえることができるので、容易に設置可能であり、使用者がランプを取り出す際にラベルを外す必要があるので、ラベルの認識性を高めることができる。【選択図】図１
2017067967.tif 000002
【特許請求の範囲】
【請求項１】
ランプの個装箱に収めるラベルであって、
一枚の紙からなり、
中心に貫通孔を有し略正方形状の主面と、
前記主面の第一の頂点に隣接する二辺と前記第一の頂点と対向する第二の頂点に隣接する二辺から外側に向かって延びる折り曲げ面が形成されており、
前記折り曲げ面には情報要素が印刷されていることを特徴とするラベル。
【請求項２】
前記主面の一辺の長さをｘ、
前記折り曲げ面の主面と接する長さをｙとしたとき、
ｘ＞ｙであることを特徴とする請求項１記載のラベル。
【請求項３】
請求項１または２記載のラベルを使用したランプ。
【発明の詳細な説明】
【技術分野】
【０００１】
本発明は、口金付きのランプを梱包する個装箱に収めるラベルに関する。
【背景技術】
【０００２】
従来、口金付きランプの個装箱には、ランプ使用時における注意事項を記した紙片をランプと個装箱の隙間に差し入れるものが一般的であった。注意事項を記した紙片には、ランプの配線に関する情報など、ランプを安全に使用するための事項が記載されている。しかしながら、ランプと個装箱の間に紙片を差し入れた場合、ランプを取り出す際に紙片に気付かないこともあり、ランプを使用する際の注意事項が十分に使用者に伝わらないことがあった。
【先行技術文献】
【特許文献】
【０００３】
【特許文献１】特開平６−２９３３２９
【発明の概要】
【発明が解決しようとする課題】
【０００４】
本発明は上記事情に鑑みなされたものであり、ランプの使用者に注意事項を伝えるために、注意事項を記した紙片の認識性を高めることを目的とする。
【課題を解決するための手段】
【０００５】
上記目的を達成するために、本発明は、ランプの個装箱に収めるラベルであって、一枚の紙からなり、中心に貫通孔を有し略正方形状の主面と、前記主面の第一の頂点に隣接する二辺と前記第一の頂点と対向する第二の頂点に隣接する二辺から外側に向かって延びる折り曲げ面が形成されており、前記折り曲げ面には情報要素が印刷されていることを特徴とする。
【０００６】
また本発明は、上記ラベルにおいて、前記主面の一辺の長さをｘ、前記折り曲げ面の主面と接する長さをｙとしたとき、ｘ＞ｙであることを特徴とする。
【発明の効果】
【０００７】
本発明によれば、ランプを取り出す際に、使用者が必ずラベルを見ることになるので、使用上の注意事項など使用者に伝えたい情報の認識性を高めることができる。
【図面の簡単な説明】
【０００８】
【図１】図１は、本発明に係るラベルの使用状態を示す図である。
【図２】図２は、本発明に係るラベルの形状を示す図である。
【発明を実施するための形態】
【０００９】
以下、本発明に係るラベルの実施形態について図面を参照しながら説明する。なお、図中の同じ要素に対しては同じ符号を付して、重複する説明を省略する。
【００１０】
図１は本発明に係るラベルの使用形態を示す図である。
ランプ１０はガラス製の外球１１と口金１２を有し、ガラス製の外球１１の内部には（図示しない）放電灯が封入されている。口金１２は口金１２よりも太く形成されたネック部１１ａに接続されており、ネック部１１ａの先には略楕円球状に形成された太径部１１ｂが形成されている。
尚、ランプは放電灯とガラス外球を備えたものに限らない。発光ダイオードなど他の光源を使用するものでも良く、外球を有さず発光ダイオードを保護する樹脂製のカバーを備えたものでも良い。
【００１１】
個装箱２０は段ボール製であり、ランプ１０が（図示しない）外装箱の内部で動くことがないよう固定し、また外装箱に衝撃が加わった際にランプ１０への衝撃を吸収し低減する保護機能を有するものである。
個装箱２０は筒状に形成され、ランプ１０が内部に収められた際に外球１１の太径部１１ｂと内側が略密着する寸法となっており、ランプ１０を保持する構造となっている。上部の対向する２つの辺には切り込み２４が入れられており、切り込み２４の上側は内側に押しこむことで折り曲げることができる折り曲げ部２２が形成されている。
ランプ１０を個装箱２０の内部に収容し、この折り曲げ部２２を内側に押し込み折り曲げることにより、口金１２部分またはネック部１１ａを把持し、ランプ１０を個装箱の内部に固定する。尚、ランプ１０の固定方法は上記方法に限らず、口金１２やネック部１１ａを個装箱２０の内部に固定する別の部材を使用しても良い。
【００１２】
図２は、本発明に係るラベル１を示す図である。
ラベル１は、略正方形の主面２と、４つの折り曲げ面３ａ〜３ｄと、主面２の中央部分に形成された貫通孔４からなる。折り曲げ面３は、主面２の頂点２ａに隣接する２つの辺２ｃ、２ｄから延びる折り曲げ面３ａ、３ｂと、頂点２ａに対向する頂点２ｂに隣接する２つの辺２ｅ、２ｆから延びる折り曲げ面３ｃ、３ｄからなる。
ラベルの各部の寸法は梱包するランプ１０及び個装箱２０の形状に合わせ、以下のように設計される。
主面２の一辺の長さｘは個装箱２０の内側形状に合わせて形成される。
折り曲げ面３は略正方形状であり、一辺の長さｙは主面２の一辺の長さｘの２／３程度の長さに形成されている。主面２の折り曲げ面３が形成されていない部分の長さ（ｘ−ｙ）は、個装箱２０の切り込み２４の寸法と合わせて形成されている。尚、折り曲げ面３の形状は正方形状に限らず、長方形や半円形でも良い。貫通孔４の寸法はランプ形状に合わせて適宜変更される。
ラベルの主面２及び折り曲げ面３の一面にはランプ１０を使用する際の注意事項や取扱説明が記載されている。記載する事項は注意事項に限らず、使用者に伝えたい情報を記すことができる。
【００１３】
図１に示すように、個装箱２０にランプ１０を挿入し、ラベル１の注意事項を記した面を上にしてラベル１の貫通孔４をランプ１０の口金１２に通すように設置する。貫通孔４の寸法は口金１２より大きく、ネック部１１ａの径よりは小さく形成され、口金１２に通した場合、ネック部１１ａで止まる設計となっている。尚、貫通孔４の寸法をネック部１１ａよりも大きく形成し、太径部１１ｂに引っかかり止まる設計としても良い。
ラベル１をランプ１０の口金１２に通すと、折り曲げ面３は個装箱２０の壁に沿って曲がるので、特別な作業を必要とせず、ランプ１０に設置することができる。
次に個装箱２０の折り曲げ部２２を押し込み折り曲げることにより、ラベル１の主面２の折り曲げ面３が形成されていない部分を押さえることができるので、容易にラベル１を個装箱２０の内部に固定することができる。ラベル１を設置した個装箱２０は外装箱に入れられ、使用者のもとに輸送される。
ランプ１０を取り出す際、折り曲げ部２２を外側に開くと、ラベル１が使用者の目に触れることになり、使用上の注意事項などを確実に使用者に伝えることができる。
【００１４】
以上説明したように、本実施形態によれば、中心に貫通孔が形成された主面から折り曲げ面が形成されている。折り曲げ面に注意事項を記載し、注意事項を記した面を上にしてラベルを口金に通しランプに設置しているので、ランプを取り出す際、ラベルに記した注意事項を確実に使用者に伝えることができ、使用上の注意事項を守らないことによる事故を防止することができる。
また、本実施形態によれば、主面よりも小さな折り曲げ面を主面の対向する２つの頂点に隣接する二辺から形成している。この構成によれば、主面の折り曲げ面の形成されていない部分を個装箱により押さえ固定することができ、ラベルを容易にランプに設置することができる。
【符号の説明】
【００１５】
１    ラベル
２    主面
３    折り曲げ面
４    貫通孔
１０  ランプ
１１  外球
１２  口金
２０  個装箱
２２  折り曲げ部
２４  切り込み
【図１】
2017067967.tif 000003
【図２】
2017067967.tif 000004